(57)【要約】【課題】画像形成装置の現状の形状を複雑にすることなく、またコストを向上させることなく厚紙の印刷行うこと。【解決手段】複写機本体には、ピックアップローラから引き抜かれてほぼ水平状態の用紙を垂直方向上方へ搬送する垂直搬送路を有し、垂直搬送路が装置本体の一側壁に沿って配設されている。垂直搬送路を形成する一対の搬送面のうち、ほぼ水平方向に搬送されている用紙の先端が接触する外側搬送面の部位に、上方へ向けて一側壁２ａの表面側へ傾斜されている傾斜搬送面７６ｂを形成した。【選択図】図２
2010195551.tif 000002
【特許請求の範囲】
【請求項１】
装置本体内に設けられ用紙をほぼ水平状態で収納する給紙部と、
該給紙部の用紙を給紙部から引き抜くピックアップ部と、
該ピックアップ部によって引き抜かれた用紙を画像形成部に搬送する搬送路とが備えられ、
該搬送路にはピックアップ部からほぼ水平方向に向いた水平方向搬送路によって移送された用紙を水平状態から上方へ向けて搬送する垂直搬送路を有し、
該垂直搬送路が前記装置本体の一側壁に沿って、該一側壁側に配置された外側搬送面と該外側搬送面に対向して装置本体の内方側に配置されている内側搬送面とで形成されている画像形成装置において、
該垂直搬送路の前記外側搬送面が、上方へ向けて前記一側壁側へ傾斜する傾斜搬送面を有することを特徴とする画像形成装置。
【請求項２】
前記傾斜搬送面が、前記装置本体の一側壁に設けられた開閉可能なドアの内面に形成されていることを特徴とする請求項１に記載の画像形成装置。
【請求項３】
前記ピックアップ部が上下方向に複数設けられ、各ピックアップ部が前記傾斜搬送面に用紙を移送するようにしたことを特徴とする請求項１又は２に記載の画像形成装置。
【請求項４】
前記水平方向搬送路が下流側で前記垂直搬送路と交わる用紙排出部を斜め上方へ向けて形成したことを特徴とする請求項１〜３のいずかに記載の画像形成装置。
【発明の詳細な説明】
【技術分野】
【０００１】
本発明は、印刷機、コピー、ファクシミリ及びこれらの複合機などに印字若しくは印画される用紙を垂直方向へ搬送する搬送路を備えた画像形成装置に関する。
【背景技術】
【０００２】
従来、画像形成装置において、印刷媒体として種々の用紙が使用されている。最近の市場では、印刷媒体により高級感と信頼感を与えるために厚紙の使用が増加してきている。そのため、画像形成装置に関しても、給紙部で厚紙対策が必要になっている。
厚紙対策がなされている画像形成装置としては、下記の特許文献１など、種々の態様がある。
特許文献１は、装置本体の外部トレイから内部の搬送路に用紙を供給する給紙ローラを設け、給紙ローラは傾斜して搬送された用紙を水平方向に配置された搬送路に供給するように構成されている。給紙ローラの用紙供給口には、装置本体の側壁部から外側へ突出するシート材積載板の一端側（側壁側）が回動自在に装着され、搬送路の傾斜角を変動できるように配置されている。
【０００３】
このような画像形成装置は、一般的な薄い用紙を給紙する場合には、搬送路に対してシート材積載板の角度が垂直状態に近くなる方向へ傾斜させる方が用紙の分離性能が良いため、シート積載板の傾斜を大きくしている。一方、厚紙の場合は傾斜が大きいと厚紙の強さによって分離パッドを押し下げてしまうので、シート積載板を水平に近い状態に傾斜させて用紙を給紙部に供給している。こうして、引用文献１のシート材積載板は、該シート材積載板の傾斜角を変化させることによって、用紙厚さの異なる印刷物に対応していた。
【先行技術文献】
【特許文献】
【０００４】
【特許文献１】特開平７−８１７８０号公報
【発明の概要】
【発明が解決しようとする課題】
【０００５】
しかしながら、特許文献１のように、画像形成装置のシート材積載板が装置本体の外部にあれば、その傾斜角を変更するのは容易であるが、シートのカセットなどの積載部が装置本体の内部に配設されているような場合には、その傾斜角の取り扱いが困難である。また、特許文献１のシート材積載板を回動させるために、特別の機構を必要とし、生産コストが向上する。
本発明は、このような事情に鑑みてなされたものであって、形状を複雑にすることなく、コストを向上させることなく厚紙対策をした画像形成装置を提供することを目的とする。
【課題を解決するための手段】
【０００６】
本発明の画像形成装置は上記目的を達成するために、装置本体内に設けられ用紙をほぼ水平状態で収納する給紙部と、該給紙部の用紙を給紙部から引き抜くピックアップ部と、
該ピックアップ部によって引き抜かれた用紙を画像形成部に搬送する搬送路とが備えられ、
該搬送路にはピックアップ部からほぼ水平方向に向いた水平方向搬送路によって移送された用紙を水平状態から上方へ向けて搬送する垂直搬送路を有し、該垂直搬送路が前記装置本体の一側壁に沿って、該一側壁側に配置された外側搬送面と該外側搬送面に対向して装置本体の内方側へ配置されている内側搬送面とで形成されている画像形成装置において、
該垂直搬送路の前記外側搬送面が、上方へ向けて前記一側壁側へ傾斜する傾斜搬送面を有するようにした。
上記画像形成装置の前記傾斜搬送面が、前記装置本体の一側壁に設けられた開閉可能なドアの内面に形成されていることが好ましい。
上記画像形成装置には、前記ピックアップ部が上下方向に複数設けられ、各ピックアップ部が前記傾斜搬送面に用紙を移送することができる。
上記画像形成装置は、前記水平方向搬送路が下流側で前記垂直搬送路と交わる用紙排出部を斜め上方へ向けて形成することが好ましい。
【発明の効果】
【０００７】
本発明の画像形成装置は、装置本体内に設けられ用紙をほぼ水平状態で収納する給紙部と、該給紙部の用紙を給紙部から引き抜くピックアップ部と、該ピックアップ部によって引き抜かれた用紙を画像形成部に搬送する搬送路とが備えられ、該搬送路にはピックアップ部からほぼ水平方向に向いた水平方向搬送路によって移送された用紙を水平状態から上方へ向けて搬送する垂直搬送路を有し、該垂直搬送路が前記装置本体の一側壁に沿って、該一側壁側に配置された外側搬送面と該外側搬送面に対向して装置本体の内方側に配置されている内側搬送面とで形成されている画像形成装置において、該垂直搬送路の前記外側搬送面が、上方へ向けて前記一側壁側へ傾斜する傾斜搬送面を形成したので、水平状態に移送される用紙が垂直方向に向けて搬送される際に鈍角となる部分、すなわち入射角を浅くした状態で通過することができ、厚紙であっても容易に搬送路を通過することができる。また、一般紙から厚紙に切り換える構造を必要としないので、安価に実施することができる。
上記画像形成装置は、前記傾斜搬送面が、前記装置本体の一側壁に設けられた開閉可能なドアの内面に形成されているので、ドア形状を変更することによって、容易に実施することができ、画像形成装置の他の構成物を変更することなく実施できる。
上記画像形成装置は、前記ピックアップ部が上下方向に複数設けられ、各ピックアップ部が前記傾斜搬送面に用紙を移送するので、給紙部に複数の種類の厚紙をセットすることができる。
上記画像形成装置は、前記水平方向搬送路が下流側で前記垂直搬送路と交わる用紙排出部を斜め上方へ向けて形成したので、それらの搬送路が交わる部分の角度がより広くなるので、厚紙がさらに容易に垂直搬送路に移送される。
【図面の簡単な説明】
【０００８】
【図１】本発明の実施形態における画像形成装置としての静電複写機の全体斜視図である。
【図２】図１の静電複写機を前方向から見た断面図である。
【図３】図１の静電複写機の外側搬送路が形成されている開閉ドアの斜視図である。
【図４】図２の静電複写機における垂直搬送面の上部側周辺の断面図である。
【発明を実施するための形態】
【０００９】
以下、本発明の実施形態による画像形成装置について、図面を参照しながら説明する。
図１は、本発明に係る画像形成装置としての静電複写機１の全体斜視図、図２は概略断面図である。
図１に示すように、静電複写機１は、ほぼ直方体形状の装置本体である複写機本体２を備え、図２を参照にして、複写機本体２は、相互に横方向（図２において左右方向）に間隔をおいて対向する一側壁２ａ及び他側壁２ｂと、上端２ｃとを備えている。一側壁２ａには、ジャム処理用の開閉ドア５を備え、この開閉ドア５の表面側は一側壁２ａの一部を構成する。
複写機本体２内には、主搬送路４が、複写機本体２の一側壁２ａから他側壁２ｂに向かってほぼ水平に延在するよう配設されている。複写機本体２内にはまた、主搬送路４に関連して、画像形成手段６が配設されている。
【００１０】
画像形成手段６は、像担持体である感光体ドラム８と、感光体ドラム８の周囲に配置された、主帯電器１０、露光手段であるレーザスキャニングユニット１２、現像装置１４、転写・分離ベルト機構１６、クリーニング装置１８、図示しない除電器などの作像エレメントを備えている。画像形成手段６はまた、主搬送路４における、転写・分離ベルト機構１６よりも下流位置に配置された定着装置２０を備えている。定着装置２０は、熱ローラ２１ａと、熱ローラ２１ａに圧接された圧ローラ２１ｂとからなる定着ローラ対２１を備えている。
【００１１】
主搬送路４における、感光体ドラム８よりも上流位置（図２において右方の位置）には、その上流から下流に向かって、搬送ローラ対２２及びレジストローラ対２４がその順に配置されている。主搬送路４における、定着装置２０の下流位置には搬送ローラ対２６が配設されている。
複写機本体２の上端２ｃ上には、露光走査装置１１が配設され、露光走査装置１１の上面には、原稿戴置台であるプラテンガラス１３が配設されている。
複写機本体２の上端にはまた、自動原稿搬送装置１５が、プラテンガラス１３の上面を開閉可能に回動し得るよう配設されている。露光走査装置１１内には、自動原稿搬送装置により搬送される原稿の画像情報を読み取るための画像読み取り装置１７が備えられている。
【００１２】
画像情報、例えば画像読み取り装置１７によって読み取られた画像情報は、レーザスキャニングユニット１２によって、主帯電器１０により一様に帯電された感光体ドラム８の表面に照射され、感光体ドラム８の表面には静電潜像が形成される。そして、この静電潜像は現像装置１４により現像される。
他方、搬送ローラ対２２により搬送された用紙は、レジストローラ対２４により所定のタイミングで感光体ドラム８と転写・分離ベルト機構１６との協働により形成される転写領域に向けて搬送される。用紙が転写領域を通過する間に、用紙の片面（図２において上面）には、感光体ドラム８の表面に形成された画像（トナー像）が転写・分離ベルト機構１６によって転写される。
片面に画像が転写された用紙は、転写・分離ベルト機構１６により定着装置２０に搬送・分離され、定着装置２０を通過する間に画像が用紙の片面に定着される。片面に画像が定着された用紙は搬送ローラ対２６によって更に下流に搬送される。以上のとおりにして、主搬送路４を用紙が搬送される間に、用紙の片面に画像が形成される。
【００１３】
主搬送路４は、その下流端である搬送ローラ対２６の直下流位置において、主排出路２８と反転路３０とに分岐されている。主排出路２８は主搬送路４の延長上に配置され、主排出路２８の下流端には排出ローラ対３２が配設されている。主搬送路４及び主排出路２８は、複写機本体２の一側壁２ａから他側壁２ｂに向かってほぼ水平に延在するよう配設されている。排出ローラ対３２は、複写機本体２の他側壁２ｂの内側に配設され、他側壁２ｂには、排出ローラ対３２により排出される用紙をストックする図示しない排出トレイが配設されている。反転路３０は、主搬送路４の下流端から下方に分岐しかつ反転して図２において右斜め下方に延び、逆転搬送路３４に接続されている。反転路３０には搬入ローラ対３６が配設されている。
主排出路２８と反転路３０との分岐部には、分岐爪３８が配設されている。分岐爪３８は、図示しないアクチュエータにより、主搬送路４を通して搬送された用紙を、主排出路２８に向けて案内する第１の案内位置（図２に示される位置）と、反転路３０に向けて案内する第２の案内位置（図２に示される矢印ａ側に切り換わった位置）とに選択的に位置付けられる。逆転搬送路３４は、主搬送路４の下方に間隔をおいて複写機本体２の横方向（図２において左右方向）に直線状に延在している。逆転搬送路３４の、反転路３０が合流する位置には、逆転ローラ対４０が配設されている。
【００１４】
逆転搬送路３４は、反転路３０との合流部を越えて主搬送路４の下流方向に直線状に延び、再反転路４２に接続されている。再反転路４２は、逆転搬送路３４の逆転搬送方向（図２において左方）における下流端から下方に半円状に反転して、再給紙搬送路４４に接続されている。再反転路４２は、大径の反転ローラ４６と、反転ローラ４６に圧接された２個の小径の押さえローラ４８とを備えている。片方の押さえローラ４８は再反転路４２の入口に配置され、他方の押さえローラ４８は再反転路４２の出口に配置されている。再給紙搬送路４４は、逆転搬送路３４の下方に間隔をおいてほぼ水平に複写機本体２の横方向に延在している。再給紙搬送路４４には、３対の搬送ローラ対４９が相互に間隔をおいて配置されている。
【００１５】
複写機本体２内の図２において右端部には、垂直方向搬送路５０が配設されている。
垂直方向搬送路５０は、複写機本体２の一側壁２ａの内側を一側壁２ａに沿ってほぼ垂直方向に延びてから、図２において左斜め上方に傾斜して延びて、主搬送路４の上流端である搬送ローラ対２２の直上流位置に接続されている。垂直方向搬送路５０には、複数の給紙搬送ローラ対５２が相互に間隔をおいて配置されている。上記再給紙搬送路４４の下流領域（図２において右端領域）は、右上方にカーブして、垂直方向搬送路５０において最上端に配置された給紙ローラ５２の上流側に接続されている。
【００１６】
再給紙搬送路４４の下方には２個の用紙積載トレイ５４及び５６が横方向へ配設され、用紙積載トレイ５４及び５６の下方には、上下に２つの給紙カセット５５，５７が配設されている。用紙積載トレイ５４は、水平方向搬送路５８を介して垂直方向搬送路５０に接続されている。用紙積載トレイ５４に関連して、複写機本体２内には、ピックアップ部（又はピックアップユニット）が設けられ、ピックアップ部には、ピックアップローラ６０が配設され、水平方向搬送路５８には、分離ローラ対６２と２対の給紙ローラ対６４とが、上流から下流に向かってこの順に配設されている。
【００１７】
他方、用紙積載トレイ５６は、水平方向搬送路６５を介して垂直方向搬送路５０に接続されている。用紙積載トレイ５６に関連して、複写機本体２内にはピックアップ部が設けられ、ピックアップ部には、ピックアップローラ６６が配設され、水平方向搬送路６５には、分離ローラ対６８が配設されている。水平方向搬送路６５と垂直方向搬送路５０との合流部には送りローラ６９が配設されている。図示しない複数の給紙カセットと垂直方向搬送路５０との間も、概ね上記したのと同じ構成をもって接続されている。また、給紙カセット５５，５７にもピックアップ部が設けられているが、説明は省略する。
【００１８】
ここで、垂直方向搬送路５０の詳細について説明する。
図３及び図４を参照にして、垂直方向搬送路５０は、複写機本体２の内側に形成された内側搬送面７５と外側に形成された外側搬送面７６を形成している。これらのうち、内側搬送面７５は、複写機本体２の内側の構造物に沿って設けられ、ほぼ垂直方向に延在する。
外側搬送面７６は、図３に示す開閉ドア５の裏面に形成されている。開閉ドア５は、左右一端側の一方にヒンジ部４７を設け横開きできるように配設される（図１参照）。
外側搬送面７６は、複写機本体２に装着された状態で下側がほぼ平面からなる垂直面７６ａによって形成され、上側にほぼ平面からなる傾斜面７６ｂが形成されている。傾斜面７６ｂは、上方へ向かって一側壁２ａの斜め上方表面側に傾斜している。
【００１９】
このような傾斜面７６ｂを形成する位置が重要であり、本実施形態では、ピックアップ部の水平方向搬送路５８，６５の用紙排出部５８ａ，６５ａが垂直方向搬送路５０の傾斜面７６ｂと合流する高さに配設される。その水平方向搬送路５８，６５と垂直方向搬送路５０との合流部において、用紙排出部５８ａ，６５ａは、先端（下流）部側へ向かってほぼ水平方向からやや斜め上方に傾斜させている。
また、本実施形態では、水平方向搬送路５８の上方に位置する再給紙搬送路４４の搬送路端部４４ａが垂直方向搬送路５０の傾斜面７６ｂの高さ位置に対向して配設される。
外側搬送面７６には、給紙ローラ５２のガイドローラ５２ａが横方向に併設して一対設けられ、これらの一対のガイドローラ５２ａが上下方向に４つ併設され、各々のローラが回転可能に支持されている。
【００２０】
垂直搬送路５０と反対側の他側壁２ｂには、逆転搬送路３４の延長上に存在し、再反転路４２の、反転ローラ４６と押さえローラ４８とのニップ部の下流側と、主排出路２８における、排出ローラ対３２の上流側との間には、反転排出路７０が配設されている。反転排出路７０は、片面に画像が形成された用紙を表裏反転し、画像面を下に向けて排出してページ順に揃えるための反転排出路であって、搬送ローラ対７２が配設されている。再反転路４２と反転排出路７０との分岐部には分岐爪７４が配設されている。分岐爪７４は、図示しないアクチュエータにより、逆転搬送路３４からスイッチバック（逆転搬送）された用紙を、反転排出路７０に向けて案内する第１の案内位置（図示の状態）と、再反転路４２に沿って搬送されるように案内する図示しない第２の案内位置（矢印ｂ方向へ回転した状態）とに選択的に位置付けられる。なお、再反転路４２の一部は、図示しない第２の案内位置に位置付けられた分岐爪７４と反転ローラ４６の外周面の一部領域との協働により構成される。
【００２１】
複写機１には、操作パネル４５及び図示しないコントローラが備えられている。コントローラはマイクロコンピュータから構成され、制御プログラムに従って演算処理する中央処理手段（ＣＰＵ）、制御プログラムを格納するＲＯＭ及び演算結果等を格納する読み書き可能なＲＡＭ、タイマ、カウンタ及び入出力インターフェースなどを備えている。
操作パネルは、電源スイッチ、データ類を直接入力するテンキーなどの各種入力キーが配設され、装置作動指令信号、複写モード、複写枚数などの各種信号をコントローラに送出する。コントローラは、操作パネルからの入力信号、装置本体２内に配設された用紙検知センサ、用紙検知スイッチなどから送られた信号などに基づき、制御プログラムに従って所定の演算処理を実行し、感光体ドラム８などの各種回転体を回転駆動する複数の電動モータ、分岐爪３８などの被駆動体を駆動するアクチュエータなどに制御信号を出力する。
【００２２】
次に、上記複写機１の複写動作について説明する。
複写機１において、「フェイスアップ排出モード」が設定されているとき、分岐爪３８は図示の第１の案内位置に位置付けられる。例えば、用紙積載トレイ５４に積載された用紙は、ピックアップローラ６０及び分離ローラ対６２などにより１枚だけ水平方向搬送路５８に送り出される。水平方向搬送路５８に送り出された用紙は、ほぼ水平方向に送り出され、給紙ローラ対６４の各々により垂直方向搬送路５０に搬出される。
用紙の先端部は、図２中の右方を向いて給紙搬送ローラ対５２まで搬送され、水平方向搬送路５８と垂直方向搬送路５０の合流点では、用紙の先端部が垂直方向搬送路５０の外側搬送面７６に突き当たる。外側搬送面７６には傾斜面７６ｂを形成し、傾斜面７６ｂの上部側が複写機本体２の外側へ傾斜しているので、用紙は用紙の進行方向斜め上側に搬送される。この際、水平方向搬送路５８と垂直方向搬送路５０の内角が９０度であっても、外角が９０度を越える鈍角となる。本実施形態では、さらに水平方向搬送路５８の先端下流側の用紙排出部５８ａについて、上方へ傾斜させたので、内角α１が鈍角となり、外角α２はそれよりも広い鈍角となる。
【００２３】
したがって、搬送用紙が厚紙やこしの強い用紙であっても、用紙の入射角が浅くなり、厚紙が水平方向に延在する水平方向搬送路５８から垂直方向へ延在する垂直方向搬送路５０に、円滑に移送できる。もちろん、一般的な厚さの用紙も水平方向搬送路５８から垂直方向搬送路５０に円滑に移送できる。
垂直方向搬送路５０に搬出された用紙は、給紙搬送ローラ対５２の各々により主搬送路４に給紙搬送され、先に述べたとおりにして片面に画像が形成される。主搬送路４を通して搬送された用紙は、第１の案内位置に位置付けられた分岐爪３８により主排出路２８に案内され、排出ローラ対３２により図示しない排出トレイに画像面を上にして（フェイスアップで）排出される。
【００２４】
また、用紙を両面印刷をする場合、すなわち上記複写機１において、「両面画像形成モード」が設定されているとき、分岐爪３８は矢印ａの方へ回転し、主搬送路４と主排出路２８を遮断し、主搬送路４と再給紙搬送路４４とを連通する。一方、分岐爪７４は矢印ｂの方向に回転し、逆転搬送路３４と再給紙搬送路４４とを連通する。
先に述べた「フェイスアップ排出モード」と同様に、主搬送路４を通して搬送された、片面に画像が形成された用紙は、分岐爪３４の作用によって、反転路３０を通して逆転搬送路３４に表裏が反転されて搬入された後、逆転された逆転ローラ対４０により逆転搬送路３４の延長上に存在する反転ローラ４６と押さえローラ４８とのニップ部に向けて逆転搬送され、ニップされる。反転ローラ４６と押さえローラ４８によりニップされた用紙は、分岐爪７４により再反転路４２に案内され、再反転路４２を移動する間に再反転させられる。再反転させられた用紙は、再反転路４２の下流端に位置する反転ローラ４６と押さえローラ４８のニップ部に搬送されてニップされ、再給紙搬送路４４に搬入される。
【００２５】
再給紙搬送路４４に搬入された用紙は、表裏再反転して画像面が上向きの状態で搬送ローラ対４９の各々により搬送される。そして、再給紙搬送路４４と垂直方向搬送路５０の合流点となる搬送路端部４４ａにおいて、用紙の先端部が垂直方向搬送路５０の外側搬送面７６に突き当たる。外側搬送面７６には傾斜面７６ｂを形成し、傾斜面７６ｂの上部側が複写機本体２の外側へ傾斜している。さらに、搬送路端部４４ａも上方側へやや傾斜して形成されているので、用紙は用紙の進行方向斜め上側に搬送される。したがって、両面印刷が可能な厚紙や一般用紙を含めて、両面印刷を施すような場合にあっても、用紙の入射角を浅くすることができ、ジャムなどを防止することができる。
【００２６】
垂直方向搬送路５０に搬送された用紙は、最下流端領域に配置された給紙搬送ローラ対５２の上流側に搬出される。垂直方向搬送路５０に搬出された用紙は、主搬送路４に更に反転して再搬入される。画像面を下にして主搬送路４に再搬入された用紙が再び主搬送路４を搬送される間に、画像形成手段６により用紙の他面にも画像が形成される。
このように、本発明の実施形態による静電複写機１は、厚紙にあっては、垂直方向搬送路５０の外側搬送面７６に用紙を搬送する際に、傾斜搬送面７６ａの入射角を小さくしたので、用紙の搬送負荷を軽減することができる。この結果、搬送ローラ側を駆動するモータの負荷を軽減することができ、定格トルクを小さくしてコストダウンが可能になる。また、負荷の軽減に伴って騒音を抑制することができる。さらには、静電複写機１のレイアウトにおいても、開閉ドア６の外側搬送面７６に傾斜面７６ｂを設けることだけで、設置面積にもほぼ影響を与えないで、実施することができる。
【００２７】
以上、本発明を実施形態に基づいて添付図面を参照しながら詳細に説明したが、本発明は上記実施形態に限定されるものではなく、本発明の範囲を逸脱することなく、更に他の変形あるいは変更が可能である。
例えば、上記実施形態では、傾斜搬送面７６ｂを開閉ドア５を介して複写機本体２の一側壁２ａに形成したが、開閉ドア５を省略して傾斜搬送面７６ｂを直接一側壁２ａの内壁に設けてもよい。
また、複写機本体の下段の給紙カセット５５，５７には、傾斜搬送面７６ｂを形成しなかったが、勿論、傾斜搬送面７６ｂを形成することができる。
【符号の説明】
【００２８】
１  静電複写機（画像形成装置）
２  複写機本体
２ａ  一側壁
５  開閉ドア
５０  垂直方向搬送路
４４  再給紙搬送路
５４，５５  用紙積載トレイ
５８，６５  水平方向搬送路
５８ａ，６８ａ  用紙排出部
６０，６６  ピックアップローラ
６２，６８  分離ローラ対
７５  内側搬送路
７６  外側搬送路
７６ａ  垂直面
７６ｂ  傾斜搬送面
【図１】
2010195551.tif 000003
【図２】
2010195551.tif 000004
【図３】
2010195551.tif 000005
【図４】
2010195551.tif 000006